(57)【要約】本発明は、第一標準に従って動作するユーザ装置が第二標準に従って動作するネットワークに接続することを許可する方法であって、前記ユーザ装置から前記ネットワークに第一識別情報を送信するステップと、前記ユーザ装置の第二識別情報を前記ネットワークで準備するステップと、前記ユーザ装置と前記ネットワーク間において前記第一および第二識別情報によって識別される接続を確立するステップと、を含む方法に関する。
2008502193.tif 000002
【特許請求の範囲】
【請求項１】
第一標準に従って動作するユーザ装置が第二標準に従って動作するネットワークに接続することを許可する方法であって、
前記ユーザ装置から前記ネットワークに第一識別情報を送信するステップと、
前記ユーザ装置の第二識別情報を前記ネットワークで準備するステップと、
前記ユーザ装置と前記ネットワーク間において前記第一および第二識別情報によって識別される接続を確立するステップと、
を含む方法。
【請求項２】
前記第一および第二識別情報がまだ使用されていないことを確認するステップを含む、請求項1に記載の方法。
【請求項３】
前記確認するステップは、前記ユーザ装置が、前記第二標準に従って動作し且つ前記ネットワークと接続するときに行われる、請求項2に記載の方法。
【請求項４】
前記第一および第二識別情報がすでに使用されていることが確認された場合に、エラーメッセージを送信するステップを含む、請求項2もしくは3に記載の方法。
【請求項５】
前記第一および第二識別情報がすでに使用されていることが確認された場合に、新規第二識別情報を送信するステップを含む、請求項2、3または4に記載の方法。
【請求項６】
前記第一識別情報がIMSIを含む、前記いずれかの請求項に記載の方法。
【請求項７】
前記第二識別情報がNSAPLを含む、前記いずれかの請求項に記載の方法。
【請求項８】
前記ユーザ装置が、前記第二標準に従った動作も可能である、前記いずれかの請求項に記載の方法。
【請求項９】
前記第一標準がWLAN標準を含む、前記いずれかの請求項に記載の方法。
【請求項１０】
前記第二標準がGPRS標準を含む、前記いずれかの請求項に記載の方法。
【請求項１１】
前記準備するステップが、前記ネットワークおよびGGSNのうち、少なくとも一つのアクセスコントローラにおいて実行される、前記いずれかの請求項に記載の方法。
【請求項１２】
前記準備するステップが、前記アクセスコントローラにより前記第二識別情報を選択することを含む、請求項11に記載の方法。
【請求項１３】
前記準備するステップが、前記第一標準に従って動作中のユーザ装置のために確保された少なくとも一つの値のうちの一つを選択することを含む、前記いずれかの請求項に記載の方法。
【請求項１４】
前記準備するステップが、使用可能な第二識別情報を確定することを含む、前記いずれかの請求項に記載の方法。
【請求項１５】
第一標準に従って動作するユーザ装置と、第二標準に従って動作するネットワークとを含むシステムであって、前記ユーザ装置は、前記ネットワークに第一識別情報を送信するように構成され、前記ネットワークは、前記ユーザ装置のための第二識別情報を提供するとともに、前記ユーザ装置との接続を確立するように構成され、前記接続は、前記第一および第二識別情報によって識別される、システム。
【請求項１６】
第二標準に従って動作するネットワーク内のエンティティーであって、前記エンティティーは、第一標準に従って動作するユーザ装置から第一識別情報を受信するように構成され、前記エンティティーは、第二識別情報を提供するように構成される、エンティティー。
【請求項１７】
前記エンティティーは、GGSNとアクセスノードのうちの一つを含む、請求項16に記載のエンティティー。
【請求項１８】
前記エンティティーは、前記第二IDのための複数の選択肢から第二IDを選択するように構成される、請求項16または17に記載のエンティティー。
【請求項１９】
前記エンティティーは、前記第一IDと関連してまだ使用されていない前記ユーザ装置のための第二IDを選択するように構成される、請求項18に記載のエンティティー。
【請求項２０】
第二標準に従って動作するネットワーク内のエンティティーであって、前記エンティティーは、第一標準および第二識別情報に従って動作するユーザ装置のための第一識別情報を受信するように構成され、前記エンティティーは、第一および第二識別情報がまだ使用されていないことを確認するように構成される、エンティティー。
【請求項２１】
前記第一および第二識別情報がすでに使用されていることが確認された場合、前記エンティティーはエラーメッセージを発信するように構成される、請求項20に記載のエンティティー。
【請求項２２】
前記第一および第二識別情報がすでに使用されていた場合、前記エンティティーは新しい第二識別情報を提供するように構成される、請求項20に記載のエンティティー。
【発明の詳細な説明】
【技術分野】
【０００１】
本発明は、第一標準に従って動作するユーザ装置が第二標準に従って動作するネットワークに接続することを許可する方法に関するものである。
【背景技術】
【０００２】
通信システムとは、ユーザ端末設備および通信システムに関連する他のノードに属するネットワーク・エンティティーなどのような、二つかもしくはそれ以上のエンティティー間の通信を可能にする設備である。該通信とは、例えば音声、電子メール（Eメール）、テキストメッセージ、データマルチメディア等による通信を含む。
【０００３】
該通信は、固定回線および無線通信インターフェースによって提供される。無線通信システムの特徴は、それを使用するユーザに移動性をもたらすことである。無線通信を提供する通信システムの例として、公的モバイルネットワーク（public mobile network；PLMN）が挙げられる。固定回線システムの例として、公衆交換電話網（public switched telephone network；/PSTN）が挙げられる。セルラー方式とは、無線アクセスのエンティティーまたは無線サービスエリアの利用に基づく通信システムである。該アクセスエンティティーは、典型的に携帯電話と称されていた。セルラー方式の基準例としては、GSM方式（global system for mobile communication；グローバル・システム・フォー・モバイル・コミュニケーション）、GPRS方式（general packet radio service；汎用パケット無線システム）、AMPS方式（American mobile phone system；アメリカン・モバイルフォン・システム）、DAMPS（Digital AMPS；デジタル・アメリカン・モバイルフォン・システム）、WCDMA方式（Wide band code division multiple access；広帯域符号分割アクセス）、UMTS方式（universal mobile telecommunication system；ユニバーサル・モバイル・テレコミュニケーション・システム）、CDMA 2000方式（Code division multiple access 2000；符号分割多元接続2000）などを含む。
【０００４】
通信システムは典型的に、与えられた基準もしくは規格に従って動作し、それによりシステムのどういったさまざまな要素が許可されているか、またそれがどのようにして達成されるべきかを決定づける。例えば、該基準もしくは規格は、ユーザ、またはより正確にはユーザ装置が、回線交換サービスまたはパケット交換サービス、またはその両方を提供されるかどうかを規定する。接続に使用されるべき通信プロトコルまたは変数もまた、典型的に規定される。例えば、ユーザ装置と通信ネットワークの要素との間において通信が実行されるべき手段は、典型的に定義済み通信プロトコルに基づく。
【０００５】
GPRS能力を備えたモバイルステーションというものが知られている。これも、それらのステーションに無線ローカルネットワーク（WLAN）機能を提供するためのものである。しかし、モバイルステーションのWLANは、GPRSサービスを受けることができない。これは、GPRSサービスを受けるためにはGPRSの加入者が固有アイデンティティを必要とするからである。該固有アイデンティティはIMSI（international mobile subscriber identity；国際移動電話加入者識別番号）またはNSAPI（network layer service access point identity；ネットワーク層サービス・アクセスポイント・アイデンティティ）によって構成される。したがって、GPRSの加入者はGPRSネットワーク内において固有アイデンティティを取得することとなる。IMSIは加入者に固有のものである。NSAPIは接続番号を効果的に示す。与えられる接続に対し、IMSIとNSAPIの組み合わせは固有でなければならない。
【０００６】
しかし、WLANの利用者がNSAPIを取得するのは不可能である。したがって、WLANの利用者はGPRSネットワークからGPRSのサービスの提供を受けることはできない。
【０００７】
本発明の実施形態の目的は、上記の問題に対処することである。
【発明の概要】
【０００８】
本発明における第一の側面によれば、第一標準に従って動作するユーザ装置が第二標準に従って動作するネットワークに接続することを許可する方法が提供され、前記方法は、前記ユーザ装置から前記ネットワークに第一識別情報を送信するステップと、前記ユーザ装置の第二識別情報を前記ネットワークで準備するステップと、前記ユーザ装置と前記ネットワーク間において前記第一および第二識別情報によって識別される接続を確立するステップと、を含む。
【０００９】
本発明における第二の側面によれば、第一標準に従って動作するユーザ装置と、第二標準に従って動作するネットワークとを含むシステムが提供され、前記ユーザ装置は、前記ネットワークに第一識別情報を送信するように構成され、前記ネットワークは、前記ユーザ装置のための第二識別情報を提供し、前記ユーザ装置との接続を確立するように構成され、前記接続は、前記第一および第二識別情報によって識別される。
【００１０】
本発明における第三の側面によれば、第二標準に従って動作するネットワーク内のエンティティーが提供され、前記エンティティーは、第一標準に従って動作するユーザ装置から第一識別情報を受信するように構成され、前記エンティティーは、第二識別情報を提供するように構成される。
【００１１】
本発明における第四の側面によれば、第二標準に従って動作するネットワーク内のエンティティーが提供され、前記エンティティーは、第一標準および第二識別情報に従って動作するユーザ装置のための第一識別情報を受信するように構成され、前記エンティティーは、第一および第二識別情報がまだ使用されていないことを確認するように構成される。
【本発明の好適な実施形態の詳細な説明】
【００１２】
本発明をより良く理解するため、また同様の効果をいかに得ることができるかという点に関して、ただの一例として添付図面を参照する。
【００１３】
本発明の実施形態のシステムを図式的に示す図1を参照する。
【００１４】
図1は、ユーザ装置2を示す。ユーザ装置2にはWLAN部6と、GPRS部4が搭載されている。WLAN部6はユーザ装置がWLANと接続することを可能にし、一方、GPRS部4はユーザ装置がGPRSネットワークと接続することを可能にする。
【００１５】
ユーザ装置は、コンピュータ（据置き型またはポータブル型）、携帯電話、携帯用データ端末、または電子手帳など、いかなる適切な形態をとってもよい。ユーザ装置2は無線機器であり、ユーザ装置2は無線インターフェースを介して例えば基地局などの他の機器と通信することができる。わかりやすくするために、そうしたネットワークの無線アクセスは省略されているが、実際にはユーザ装置2とGPRSネットワーク12との間に存在する。
【００１６】
ユーザ装置のGPRS部4は従来の方法でGPRSネットワーク12と通信するように構成されている。特に、GPRS部4はSGSN（signaling GPRS support node；信号GPRS支点ノード）16とパス10を介して通信する。パス10は無線アクセスネットワーク（図には表示されていない）を介する。SGSN 16はGGSNゲートウェイGPRS支点ノード18に接続する。ユーザ装置のGPRS部4とGGSN 18の間における信号については、のちに図2に対する説明箇所において説明する。
【００１７】
ユーザ装置のWLAN部6はパス8を介するGPRSネットワーク12のアクセスコントローラ14と通信するように構成されている。パス8もやはり無線アクセスネットワーク（図には表示されていない）を介する。アクセスコントローラ14もまたGGSN 18に接続している。ユーザ装置のWLAN部6とGGSNとの間における信号フローについては、のちに図3に対する説明箇所において説明する。
【００１８】
ユーザ装置のGPRS部4とGGSN 18との間における信号について説明する図2を参照する。
【００１９】
ステップS1において、ユーザ装置2のGPRS部4はSGSN 16に対しGPRS ATTACHメッセージを送信する。このATTACHメッセージはIMSLを含む。このGPRS ATTACH処理が問題なく完了したのち、ステップS2においてユーザ装置は、PDAコンテキストを有効にするため、SGSNに対してActivate PDP（Packet Data Protocol；パケット・データ・プロトコル）Contextメッセージを送信する。該Activate PDP Context RequestメッセージはNSAPIを含む。ユーザ装置のGPRS部はNSAPIに接続を割り当てる。
【００２０】
ステップS3において、SGSN 16はGGSN 18に対し、Create PDP Context Request GTP （GPRS Tunneling Protocol/GPRSトンネルプロトコル）messageを送信する。このmessageはユーザ装置のGPRS部から提供されるIMSIおよびNSAPIを含む。
【００２１】
ステップS4において、GGSNは同一のIMSIおよびNSAPI値を持つその他の接続が存在しないことを確認する。言い換えれば、GGSNはユーザ装置のGPRS部4が事前に同一のNSAPIとの接続を有効にしていないことを確認している。
【００２２】
ユーザ装置のGPRS部4が事前にそういった接続を有効にしていなければ、次なる段階はステップS5であり、ここではGGSN 18がSGSNにCreate PDP Context Response GTPメッセージを送信し、それをもってPDP（Packet data protocol；パケット・データ・プロトコル）コンテキストの設定が問題なくGGSN内において完了したことを示す。
【００２３】
ステップS6において、SGSNは次にユーザ装置のGPRS部に対し、Activate PDP Context Acceptメッセージを通知する。これにより、ユーザ装置のGPRS部とGPRSネットワークとの間の接続が確立される。
【００２４】
ユーザ装置のWLAN部6とGGSN 18との間における信号フローを示す図3を参照する。
【００２５】
ステップT1において、WLAN部6はアクセスコントローラ14にIMSIを送信する。上記で延べたとおり、WLAN部6はNSAPIを生成することはできない。
【００２６】
ステップT2において、アクセスコントローラ14はWLAN部6のためのNSAPIを生成する。
【００２７】
ステップT3において、IMSIおよび生成されたNSAPIは、アクセスコントローラがCreate PDP Context Request GTPメッセージを出すことにより、GGSN 18に送信される。
【００２８】
ステップT4において、GGSNは同一のIMSIおよび同一のNSAPIを用いた接続が他に存在しないことを確認する。
【００２９】
そのような接続がほかに存在しなければ、次なる段階はステップT5であり、ここではGGSNはアクセス制限機構に対し、Create PDP Context Responseメッセージを送信する。
【００３０】
Create PDP Context GTPダイアログが問題なく完了すると、アクセスコントローラは次にユーザ装置のWLAN部がGPRSパケットサービスへのアクセスを許可する。
【００３１】
すでに同一のIMSIもしくはNSAPIを用いた接続が存在することが確認された場合、ステップT5においてGGSNからアクセスコントローラに対して送信されたCreate PDP Context Response GTPメッセージにはエラーコードが含まれることになり、例えばGTP Cause値が「NAPSI is busy」などのようにエラーの原因を表示する。
【００３２】
ステップT5でエラーコードが発生すると、アクセスコントローラならびにGGSNはステップT2、ステップT3、ステップT4、ステップT5をやりなおす。
【００３３】
GGSN 18がその確認作業を行っているとき、特定のIMSIに関連するすべての接続に関しての確認を行うということが理解されるべきである。したがって、それはGPRS部4ならびにWLAN部6において設定された接続の両方を確認するということになる。これは、図2、および図3においても同様である。
【００３４】
本発明の一実施形態において、アクセスコントローラは任意のNSAPIを選択することができ、またそれを無作為に、または順番に行う。典型的に、NSAPIは番号0から15となる。
【００３５】
GPRSユーザ装置は、NSAPIの値として、例えば5から16といったある一部のアドレスのみを使用することが提案される。したがって、本発明の一実施形態において、アクセスコントローラはNSAPIに対し、例えばアドレス0から4などのように、アドレスのうち一部のみを選択するように設定されることができる。
【００３６】
図3に関連して示された実施形態において、アクセスコントローラ14はNSAPIを生成するように構成される。本発明の一変形例として、NSAPIはGGSNによって選択されてもよい。GGSNは、ユーザ装置の接続のためのすべてのIMSIおよびNSAPI値を記憶する記憶機構を有しているので、GGSNは現在使用されていない適切な値をNSAPIに選択することができる。
【００３７】
また本発明のもう一つの変形例として、ユーザ装置のGPRS部は、WLAN部6からの要求に対し、NSAPI値をWLAN部6に渡すことができる。
【００３８】
説明された本発明の実施形態に示される構成は、GPRS部4およびWLAN部6の両方を有するユーザ装置を示す。本発明の実施形態は当然ながら、WLAN部6のみを有するユーザ装置とともに使用されてもよいということが理解されるべきである。このように、同一のユーザ装置における異なる接続間のコンフリクト。
【００３９】
IMSIおよびNSAPIは、PDPアドレスによりPDPコンテキストを独自に識別する。上述のように、各GPRS加入者はPDPコンテキストを16まで有効にすることができ、それは主要コンテキスト1と15のPDPコンテキストである。GPRS加入者がPDPコンテキストの有効化を要求したとき、それは未使用のNSAPIのうちから一つを選択する。
【００４０】
本発明の一変形例において、GGSNがステップT4においてNSAPIコンフリクトを発見し、加入者のアクセス型がWLANであった場合、GGSNはエラーコードによりNSAPI値がすでにユーザ装置のGPRS部によって使用されている旨を表示し、この情報をアクセスコントローラに送るように調整されてもよい。この場合、同一のNSAPI値を用いた既存の接続が遮断されないようにしなければならない。
【００４１】
本発明の一変形例において、GPRS加入者がWLANによってすでに使用されているNSAPI値によってPDPコンテキストを有効化しようとした場合、GGSNはその有効化を拒否し、加入者にエラーメッセージを発信することができる。この場合、GPRS加入者は別のNSAPI値を用いて試行しなおさなくてはならない。
【００４２】
本発明の好適な実施形態において、ユーザ装置のGPRSアクセスは、第三世代GPRSプロポーザルに従うということが理解されるべきである。例として3GPP TS 23.234などのような、WLANインターワーキングを定義する第三世代3GPP規格が存在することが理解されるべきである。これはインターワーキング・アーキテクチャを示す。記載のアーキテクチャは、パケット・データ・ゲートウェイと称されるエンティティーを記述する。アクセスコントローラは、パケット・データ・ゲートウェイの一部であってもよいし、または別のエンティティーであってもよい。
【００４３】
本発明の実施形態は、WLANならびにGPRSを除く、その他の標準の使用に応用されてもよい。
【図面の簡単な説明】
【００４４】
【図１】本発明の実施形態の構成を図式的に示すものである。
【図２】モバイル機器のGPRS部と、図１のGGSN間における信号フローを示すものである。
【図３】モバイル機器のWLAN部と、図１のGGSN間における信号フローを示すものである。
【図１】
2008502193.tif 000003
【図２】
2008502193.tif 000004
【図３】
2008502193.tif 000005
【国際調査報告】
2008502193.tif 000006
2008502193.tif 000007
2008502193.tif 000008